(57)【要約】【課題】タンクレール内に遊技球が多段に盛り上がるように積み重なっても、その球荷重を軽減してその部位での球詰まりを防止するようにした遊技機を提供する。【解決手段】遊技機本体Ｐ１の裏側に球タンク８とその中に貯留される遊技球を下流側の球払出装置１３に供給するためのタンクレール９とが配置され、該タンクレール９の上方にはその中を流下する遊技球を球ならしするための球ならし部材２２が揺動自在に軸着される遊技機であって、遊技機本体Ｐ１の裏側でありかつタンクレール９の上方であって球ならし部材２２の上流側に位置し前方へ窪むと共に底面３４ａがタンクレール９側へ下傾する球出空間部３４を設け、タンクレール９内の上方へ盛り上がる遊技球の一部を球出空間部３４へ逃がすようにした。【選択図】図６
2007007095.tif 000002
【特許請求の範囲】
【請求項１】
遊技機本体の裏側に球タンクとその下方に位置して該球タンク内に貯留される遊技球を下流側の球払出装置に供給するためのタンクレールとが配置され、前記タンクレールの上方にはその中を流下する遊技球を球ならしするための球ならし部材が揺動自在に軸着される遊技機であって、
前記遊技機本体の裏側でありかつ前記タンクレールの上方であって球ならし部材の上流側に位置し前方へ窪むと共に底面がタンクレール側へ下傾する球出空間部を設け、前記タンクレール内の上方へ盛り上がる遊技球の一部を前記球出空間部へ逃がすようにしたことを特徴とする遊技機。
【発明の詳細な説明】
【技術分野】
【０００１】
本発明は、遊技機本体の裏側に球タンクとタンクレールとが配置され、該球タンク内の遊技球をタンクレールを介して下流側の球払出装置に供給するようにした遊技機に関するものである。
【背景技術】
【０００２】
従来、遊技機の一種であるパチンコ遊技機は、その裏側に遊技盤を覆うようにして機構板が装着される。該機構板の裏側上部に、遊技球を貯留する球タンクとその下方に位置して該球タンク内に貯留される遊技球を下流側の球払出装置に供給するためのタンクレールとが配置されている。また、前記タンクレールの上方には、その中を流下する遊技球を球ならしするための球ならし部材が揺動自在に軸着されている（例えば、特許文献１参照。）。
【特許文献１】特開２００３−１２６３８９号公報（第３−４頁、図１、図５）
【発明の開示】
【発明が解決しようとする課題】
【０００３】
しかしながら、前記特許文献１のパチンコ遊技機にあって、球タンクからタンクレール側へ排出される遊技球は、下流側の球ならし部材により搾られて一列に整流されつつ球払出装置へ供給されることになるが、前記球ならし部材より上流側では、通常、遊技球が多段に積み重なり盛り上がっている。このように、タンクレール内の盛り上がっている遊技球部位は、上部からの球荷重が下部へ幾重にも加わることから、その部位でしばしば球詰まりが起きるといった課題があった。特に、タンクレールが二条の場合、機構板に接する側の方がその現象が著しい。
【０００４】
そこで、本発明は上記課題を解決すべくなされたもので、タンクレール内に遊技球が盛り上がるように多段に積み重なっても、その上部の遊技球の一部を逃がして球荷重を軽減し、下部に大きな球圧が掛からないようにしてその部位での球詰まりを防止するようにした遊技機を提供することを目的とするものである。
【課題を解決するための手段】
【０００５】
かかる目的を達成するため本発明に係る遊技機は、遊技機本体の裏側に球タンクとその下方に位置して該球タンク内に貯留される遊技球を下流側の球払出装置に供給するためのタンクレールとが配置され、該タンクレールの上方にはその中を流下する遊技球を球ならしするための球ならし部材が揺動自在に軸着される遊技機であって、前記遊技機本体の裏側でありかつタンクレールの上方であって球ならし部材の上流側に位置し前方へ窪むと共に底面がタンクレール側へ下傾する球出空間部を設け、タンクレール内の上方へ盛り上がる遊技球の一部を球出空間部へ逃がすようにした。
【発明の効果】
【０００６】
本発明に係る遊技機は、遊技機本体の裏側でありかつタンクレールの上方であって球ならし部材の上流側に位置し前方へ窪むと共に底面がタンクレール側へ下傾する球出空間部を設けるようにしたので、タンクレール内の上方へ盛り上がる遊技球であって前記底面よりも上方に位置する一部の遊技球を球出空間部へ逃がことができる。これにより、前記盛り上がる遊技球の球荷重を軽減でき、下部に大きな球圧が掛からないことから、その部位での遊技球の球詰まりを防止することができるという効果がある。
【発明を実施するための最良の形態】
【０００７】
以下、本発明に係る遊技機の実施の形態を図面に基づき説明する。なお、パチンコ遊技機、アレンジボール機または雀球遊技機等の遊技機の内、本発明にあっては、その一例としてパチンコ遊技機について説明する。図１は本発明に係るパチンコ遊技機の裏面図、図２は機構板の裏から見た斜視図、図３は機構板の表から見た斜視図、図４は機構板の一部を断面にして示す裏面図、図５は機構板の平面図である。
【０００８】
パチンコ遊技機Ｐは、縦長方形状の外枠１とその前面に開閉自在に装着される内枠２と該内枠２に配設される遊技盤３とからなる遊技機本体Ｐ１を有する。図示は省略するが、前記遊技機本体Ｐ１の前面には、遊技盤３の前面を覆う透明板保持枠、打球発射部へ供給される遊技球を貯留するための上球皿が装着された前面板、上球皿から溢れた遊技球を貯留する下球皿及び操作ハンドルが装着される。
【０００９】
一方、前記遊技盤３の裏面に、その裏面を覆うようにして合成樹脂製の入賞球集合カバー４が装着される。この中央には、遊技盤３面に装着される表示装置（図示せず。）の後部の突出部を覆うカバー部材５が取着される。前記入賞球集合カバー４の下方に球寄せ樋６が設けられ、入賞球集合カバー４により寄せ集められた入賞球を下方から外部へ排出するようにしている。
【００１０】
また、前記遊技機本体Ｐ１すなわち内枠２の裏側に、その上部と一側部を覆うようにして機構板７が装着される。この機構板７は、合成樹脂製であって図２に示すように水平板部７ａと垂直板部７ｂとにより逆Ｌ字型の枠状に成形され、垂直板部７ｂの一側を内枠２に開閉自在に軸着している。水平板部７ａの裏面一側に、パチンコ遊技機Ｐの上方に配置される遊技球補給経路（図示せず。）から補給される遊技球を貯留する球タンク８が配置される。水平板部７ａの他側には、球タンク８の下部に一部重なるようにしてタンクレール９が装着されている。
【００１１】
前記タンクレール９の流下端にカーブレール１１が連設されると共にその下方に垂直板部７ｂに沿って供給通路１２が連設される。この供給通路１２の下端に、例えば入賞球が発生したときに所定個数の景品球を払い出す球払出装置１３が装着されている。また、該球払出装置１３の下方には、該球払出装置１３から払い出された景品球としての遊技球を前記上球皿に排出するための球排出通路１４が装着される。
【００１２】
前記球タンク８は、合成樹脂製であって上面が開口する有底箱枠状、詳しくは略横長長方形状に成形される。そして、底壁１５ｅの一側、すなわち前記球払出装置１３に近い側であって後側壁１５ｂと後から見て右側壁１５ｃとのなす後側隅部に、貯留される遊技球を排出するための導出口１６が開設されている。この導出口１６は、球タンク８の平面長方形状と同じく左右に長い平面長方形状をなす。
【００１３】
また、球タンク８内における導出口１６の上方であって下側を一段の遊技球が通過できる程度の高さ位置に、導出口１６の全体が覆われかつ遊技球が落下する外周縁に向かって上面が下傾する合成樹脂製の球受部材１８が配設される。この球受部材１８は、前記導出口１６へ流れ込む遊技球の一部を受け止め、導出口１６へ流れ込む遊技球の特に上下方向の球圧を軽減し、導出口１６部位での球詰まりを防止するようにしたものである。
【００１４】
球タンク８の導出口１６が、球払出装置１３に近い側であって後側縁部に開設されている関係上、タンクレール９に対応する機構板７の裏面に後方へ突出する張り出し部１９が設けられ、そのほぼ鉛直な後面に前記タンクレール９が装着される。タンクレール９は、上面が開放されると共に前後二条の球通路１０，１０を備えており、カーブレール１１側に下傾している。また、二条の球通路１０，１０を仕切る中央の仕切壁２０は、その上流側に上方へ突出する突部２１が一体に設けられている。この突部２１より上流側の上端縁２１ａと下流側の上端縁２１ｂは共に凹弧状に成形される。
【００１５】
タンクレール９の上方であって、前記張り出し部１９の後面には、その中央の上方に球ならし部材２２が配置され、タンクレール９の流下端の上縁に球整流部材２３が配置される。球ならし部材２２は、支持片２４の上端をビス２５により軸着され、該ビス２５を中心としてタンクレール９に沿って自在に揺動できるようになっている。
【００１６】
前記支持片２４の下方に、タンクレール９の上流側に膨らむ弧状に成形され両球通路１０，１０内を流下する遊技球を上から押えて球ならしする押圧片２６が設けられる。また、その中央にタンクレール９の上流側と下流側に突設しかつ下端が前記突部２１より下流側の上端縁２１ｂに近接すると共に仕切壁２０とほぼ同一平面状に位置する振分板２７が突設されている。下流側に突設する振分板２７には、前記球ならし部材２２を垂下した状態で球整流部材２３の後記する横杆部３２が係脱自在に係合する係合凹部２８が設けられる。
【００１７】
前記球整流部材２３は、表面に樹脂コーティングされた金属棒を屈曲して成形され、前記各球通路１０，１０のほぼ中央線に沿って位置しかつ下方へ向かってなだらかに湾曲する二本の球整流部２９，２９を有する。そして、これらの各基端部にタンクレール９の前側壁と後側壁間に差し渡された支軸３０を挿通する軸挿通部３１が設けられ、両先端部は水平な横杆部３２により一体に連結される。この横杆部３２は球ならし部材２２の前記係合凹部２８に係合して球ならし部材２２と共に球整流部材２３が無用に上下動作しないようにしっかりと固定する機能を果たしている。
【００１８】
また、前記支軸３０に、例えば、球払出装置１３が故障したとき、タンクレール９内を流下する遊技球の球払出装置１３への供給を停止させる球止板３３が軸着される。球止板３３は、各球通路１０，１０内へ突入し得る爪状の球止片３３ａを二本有しており、一方へ回動させることにより前記両球止片３３ａが両球通路１０，１０内に突入し、他方へ回動させることにより両球止片３３ａ，３３ａが両球通路１０，１０から抜かれる。通常は、球止板３３を他方へ回動させて各球止片３３ａを各球通路１０から抜いておく。
【００１９】
そして、本発明は、図６に示すように前記遊技機本体Ｐ１の裏側でありかつタンクレール９の上方であって球ならし部材２２の上流側に位置して、前方へ窪むと共に底面３４ａがタンクレール９側へ下傾してその後端縁３４ｂが該タンクレール９の上面に臨む球出空間部３４が設けられる。この球出空間部３４は、タンクレール９内の上方へ盛り上がる遊技球であってその底面３４ａよりも上方に位置する一部の遊技球を逃がすためのものである。これにより、前記盛り上がる遊技球部位の球荷重を軽減し、その部位での遊技球の球詰まりを防止している。
【００２０】
球タンク８内に貯留される遊技球は、導出口１６を介してタンクレール９内に排出され、二条の球通路１０，１０に沿って流下することになる。そこで、図４に示すように球ならし部材２２の上流側であって球通路１０，１０内に、遊技球が上方へ盛り上がって多段に積み重ねられる部位があっても、その上部の一部は、図６に示すように球出空間部３４内に排出される。これにより、その部位での球荷重が軽減され、下部に大きな球圧が掛からないので、その部位で球詰まりが起こることはなく、遊技球はそのまま下流側へ流れる。
【００２１】
そして、前記盛り上がった部位の遊技球が減ってその部位が底面３４ａの後端縁３４ｂよりも下がると、その底面３４ａに載っていた遊技球は再び球通路１０，１０内へ戻る。そして、仕切壁２０の突部２１によりいずれかの球通路１０，１０に分けられ、更に球ならし部材２２により下方へ搾られると共に球整流部材２３により一列に整流されてカーブレール１１側へ送られる。
【００２２】
前記カーブレール１１の底壁には、図７、図８に示すように球抜き口３５が開設され、該球抜き口３５の一側に該球抜き口３５を開閉する球抜き部材３６が配置される。該球抜き部材３６は、カーブレール１１の外側に突設した支持軸３７に嵌着する軸筒部３８を有し、該軸筒部３８の一側に前記球抜き口３５を開閉する蓋部材３９が一体に設けられている。また、軸筒部３８の外周面に対向位置して把手片４０，４０が突設される。図示は省略するが、前記上部の把手片４０の内面とこれと対向するカーブレール１１の外面には、互いに係脱自在に係合して前記球抜き口３５を蓋部材３９で閉じた状態を保持し得る凸部と凹部が設けられている。
【００２３】
常態では、前記凸部が凹部に係合して図７実線に示すように蓋部材３９により球抜き口３５を閉じている。これにより、タンクレール９を流下する遊技球は、供給通路１２を介して球払出装置１３に供給される。また、例えば入賞球が発生すると、球払出装置１３から球排出通路１４に所定量の遊技球が排出される。ちなみに、排出された遊技球はパチンコ遊技機Ｐ前側の上球皿に貯留される。
【００２４】
前記球抜き口３５の下方には流入口４１が開設され、該流入口４１と連通するようにして球抜き通路４２が設けられる。球抜き通路４２は、機構板７の垂直板部７ｂに沿って設けられるが、図７、図８に示すように供給通路１２のほぼ中間位置から球払出装置１３の下側位置までに対応する対応部分４２ａが供給通路１２及び球払出装置１３の前側に位置している。すなわち、球抜き通路４２の対応部分４２ａと供給通路１２及び球払出装置１３とが前後方向で重なることになる。一方、球払出装置１３の下方にあっては、前記球抜き通路４２が球排出通路１４と横に並置される。また、その下端に流出口４３が開設されている。
【００２５】
そこで、パチンコホールでは、遊技終了後に各パチンコ遊技機Ｐにつき球止板３３を回動させ球抜き口３５を開いて球タンク８内の遊技球がすべて抜かれる。この際、球抜き口３５に流入した遊技球は、流入口４１から球抜き通路４２に入り下端の流出口４３から外部へ排出される。
【００２６】
このように、供給通路１２から球払出装置１３部位までに対応する球抜き通路４２が供給通路１２及び球払出装置１３の前側に位置し、これらが前後方向で重なるようにしている。よって、機構板７一側の垂直板部７ｂにあっては、供給通路１２及び球払出装置１３部位の横幅寸法Ｗが狭く設定でき、その分遊技盤３裏面の設置スペースが広く取れるようになる。これにより、例えば、遊技盤３の中央に配置される表示装置や制御基板の大型化に十分対処できるばかりか、その付近の役物の設置も支障なく行なえる。
【００２７】
また、本発明にあっては、球タンク８における球払出装置１３に近い側でありかつ後側隅部に導出口１６を設けるようにしているので、従来に比べタンクレール９の取付位置をより高くでき、これによってもその下方の遊技盤３裏面の設置スペースが広く取れる。よって、例えば、遊技盤３の中央に配置され表示装置や制御基板の大型化、更にはその付近の役物の設置にも十分に対処できる。また、この場合、タンクレール９の長さも短くなって、その組付けが容易になるばかりか金型代も安くなり製作コストを下げることができるという効果がある。
【図面の簡単な説明】
【００２８】
【図１】本発明に係るパチンコ遊技機の裏面図。
【図２】機構板の裏から見た斜視図。
【図３】機構板の表から見た斜視図。
【図４】機構板の一部を断面にして示す裏面図。
【図５】機構板の平面図。
【図６】図４のＡ−Ａ線拡大断面図。
【図７】機構板の垂直部分の一部の拡大裏面図。
【図８】機構板の垂直部分の側面断面図。
【符号の説明】
【００２９】
８                  球タンク
９                  タンクレール
１３                球払出装置
２２                球ならし部材
３４                球出空間部
３４ａ              底面
Ｐ                  遊技機（パチンコ遊技機）
Ｐ１                遊技機本体
【図１】
2007007095.tif 000003
【図２】
2007007095.tif 000004
【図３】
2007007095.tif 000005
【図４】
2007007095.tif 000006
【図５】
2007007095.tif 000007
【図６】
2007007095.tif 000008
【図７】
2007007095.tif 000009
【図８】
2007007095.tif 000010